Podtech/llm-jp-corpus-v4-ja_patent huggingface dataset:
【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
遊技が実行されることにより所定事象が発生した場合にそれに対応する遊技の履歴情報を履歴記憶手段に記憶させる履歴記憶実行手段と、
前記履歴記憶手段に記憶されている前記履歴情報を利用して遊技の結果に対応する態様情報を導出する情報導出手段と、
前記情報導出手段により導出された前記態様情報を記憶する態様情報記憶手段と、
前記態様情報記憶手段に記憶された前記態様情報に対応する表示が情報表示手段にて行われるようにするための制御を行う態様情報表示制御手段と、
所定の表示契機が発生したことに基づいて、前記態様情報に対応する表示が新たに開始される前に所定対応表示が前記情報表示手段にて行われるようにするための制御を行う所定対応表示制御手段と、
を備え、
前記態様情報記憶手段は、前記情報導出手段により異なるタイミングで導出された複数の前記態様情報のそれぞれを記憶することを可能とするように複数の特定記憶領域を備え、
前記態様情報表示制御手段は、所定表示順序に従って前記複数の特定記憶領域に記憶された複数の前記態様情報のそれぞれに対応する表示が前記情報表示手段にて順次実行されるようにするための制御を行うものであって、前記所定対応表示が前記情報表示手段にて行われた後において前記態様情報に対応する表示を前記情報表示手段に行わせる場合には前記所定表示順序における最初の順番に対応する前記態様情報に対応する表示から開始させるものであり、
前記情報表示手段にて前記態様情報に対応する表示が行われる場合、表示対象となっている態様情報の種類を特定可能とする情報と当該態様情報の内容を特定可能とする情報との組み合わせが表示される構成であり、
本遊技機は、遊技を進行させるための所定進行処理を含む各種処理を実行し、処理の実行に際して所定の内部記憶手段に情報を一時的に記憶させ得る制御手段を備え、
前記制御手段は、
プログラム記憶手段における所定アドレス範囲内の記憶領域に記憶されているプログラムを利用した処理である領域内処理を実行する領域内処理実行手段と、
前記プログラム記憶手段における前記所定アドレス範囲の外部のアドレス範囲の記憶領域に記憶されているプログラムを利用した処理である領域外処理を実行する領域外処理実行手段と、
前記領域外処理を開始する場合又は開始した後に、前記所定の内部記憶手段に記憶された情報を退避記憶手段に退避させる退避実行手段と、
前記領域外処理を終了する場合又は終了した後に、前記退避記憶手段に退避された情報を前記所定の内部記憶手段に復帰させる復帰実行手段と、
を備え、
前記情報導出手段における前記態様情報を導出するための所定導出処理、及び前記態様情報表示制御手段における前記態様情報に対応する表示を行わせることを可能とするデータを設定するための所定設定処理は、前記領域外処理に含まれていることを特徴とする遊技機。
【手続補正２】
【補正対象書類名】明細書
【補正対象項目名】０００５
【補正方法】変更
【補正の内容】
【０００５】
ここで、上記例示等のような遊技機においては、遊技機の管理が好適に行われる必要があり、この点について未だ改良の余地がある。
【手続補正３】
【補正対象書類名】明細書
【補正対象項目名】０００６
【補正方法】変更
【補正の内容】
【０００６】
本発明は、上記例示した事情等に鑑みてなされたものであり、遊技機の管理を好適に行うことが可能な遊技機を提供することを目的とするものである。
【手続補正４】
【補正対象書類名】明細書
【補正対象項目名】０００７
【補正方法】変更
【補正の内容】
【０００７】
上記課題を解決すべく請求項１記載の発明は、遊技が実行されることにより所定事象が発生した場合にそれに対応する遊技の履歴情報を履歴記憶手段に記憶させる履歴記憶実行手段と、
前記履歴記憶手段に記憶されている前記履歴情報を利用して遊技の結果に対応する態様情報を導出する情報導出手段と、
前記情報導出手段により導出された前記態様情報を記憶する態様情報記憶手段と、
前記態様情報記憶手段に記憶された前記態様情報に対応する表示が情報表示手段にて行われるようにするための制御を行う態様情報表示制御手段と、
所定の表示契機が発生したことに基づいて、前記態様情報に対応する表示が新たに開始される前に所定対応表示が前記情報表示手段にて行われるようにするための制御を行う所定対応表示制御手段と、
を備え、
前記態様情報記憶手段は、前記情報導出手段により異なるタイミングで導出された複数の前記態様情報のそれぞれを記憶することを可能とするように複数の特定記憶領域を備え、
前記態様情報表示制御手段は、所定表示順序に従って前記複数の特定記憶領域に記憶された複数の前記態様情報のそれぞれに対応する表示が前記情報表示手段にて順次実行されるようにするための制御を行うものであって、前記所定対応表示が前記情報表示手段にて行われた後において前記態様情報に対応する表示を前記情報表示手段に行わせる場合には前記所定表示順序における最初の順番に対応する前記態様情報に対応する表示から開始させるものであり、
前記情報表示手段にて前記態様情報に対応する表示が行われる場合、表示対象となっている態様情報の種類を特定可能とする情報と当該態様情報の内容を特定可能とする情報との組み合わせが表示される構成であり、
本遊技機は、遊技を進行させるための所定進行処理を含む各種処理を実行し、処理の実行に際して所定の内部記憶手段に情報を一時的に記憶させ得る制御手段を備え、
前記制御手段は、
プログラム記憶手段における所定アドレス範囲内の記憶領域に記憶されているプログラムを利用した処理である領域内処理を実行する領域内処理実行手段と、
前記プログラム記憶手段における前記所定アドレス範囲の外部のアドレス範囲の記憶領域に記憶されているプログラムを利用した処理である領域外処理を実行する領域外処理実行手段と、
前記領域外処理を開始する場合又は開始した後に、前記所定の内部記憶手段に記憶された情報を退避記憶手段に退避させる退避実行手段と、
前記領域外処理を終了する場合又は終了した後に、前記退避記憶手段に退避された情報を前記所定の内部記憶手段に復帰させる復帰実行手段と、
を備え、
前記情報導出手段における前記態様情報を導出するための所定導出処理、及び前記態様情報表示制御手段における前記態様情報に対応する表示を行わせることを可能とするデータを設定するための所定設定処理は、前記領域外処理に含まれていることを特徴とする。
【手続補正５】
【補正対象書類名】明細書
【補正対象項目名】０００８
【補正方法】変更
【補正の内容】
【０００８】
本発明によれば、遊技機の管理を好適に行うことが可能となる。
【手続補正書】
【提出日】令和3年10月1日(2021.10.1)
【手続補正１】
【補正対象書類名】明細書
【補正対象項目名】発明の名称
【補正方法】変更
【補正の内容】
【発明の名称】決済装置、及びプログラム
【手続補正２】
【補正対象書類名】明細書
【補正対象項目名】０００１
【補正方法】変更
【補正の内容】
【０００１】
本発明の実施形態は、決済装置、及びプログラムに関する。
【手続補正３】
【補正対象書類名】明細書
【補正対象項目名】０００７
【補正方法】変更
【補正の内容】
【０００７】
本発明が解決しようとする課題は、従業員の負担を軽減すると共に、買物客が決済処理をする決済装置を選択する自由度を向上させることができる決済装置、及びプログラムを提供することである。
【手続補正４】
【補正対象書類名】明細書
【補正対象項目名】０００８
【補正方法】変更
【補正の内容】
【０００８】
実施形態の決済装置は、商品の決済のための決済情報を生成する商品登録装置とネットワークで接続された決済装置であって、前記商品登録装置によって送信された第１の決済情報に基づいて決済を行う第１の決済手段と、買物客の固有の識別データの入力を受け付ける第１入力手段と、前記識別データの入力を受付けた場合、前記商品登録装置に対して前記識別データに基づいた問い合わせをする問い合わせ手段と、前記問い合わせ手段による問い合わせに応じて、前記商品登録装置から第２の決済情報を受信した場合に、前記第２の決済情報に基づいて決済を行う第２の決済手段と、を有する。
【手続補正５】
【補正対象書類名】特許請求の範囲
【補正対象項目名】全文
【補正方法】変更
【補正の内容】
【特許請求の範囲】
【請求項１】
商品の決済のための決済情報を生成する商品登録装置とネットワークで接続された決済装置であって、
前記商品登録装置によって送信された第１の決済情報に基づいて決済を行う第１の決済手段と、
買物客の固有の識別データの入力を受け付ける第１入力手段と、
前記識別データの入力を受付けた場合、前記商品登録装置に対して前記識別データに基づいた問い合わせをする問い合わせ手段と、
前記問い合わせ手段による問い合わせに応じて、前記商品登録装置から第２の決済情報を受信した場合に、前記第２の決済情報に基づいて決済を行う第２の決済手段と、
を有する決済装置。
【請求項２】
複数の商品登録装置と接続され、
前記問い合わせ手段は、前記複数の商品登録装置に対して問い合わせをし、
前記第２の決済手段は、前記複数の商品登録装置の何れかより受信した前記第２の決済情報に基づいて決済を行う、請求項１記載の決済装置。
【請求項３】
商品の決済のための決済情報を生成する商品登録装置とネットワークで接続された決済装置のコンピュータを、
前記商品登録装置によって送信された第１の決済情報に基づいて決済を行う第１の決済手段と、
買物客の固有の識別データの入力を受け付ける第１入力手段と、
前記識別データの入力を受付けた場合、前記商品登録装置に対して前記識別データに基づいた問い合わせをする問い合わせ手段と、
前記問い合わせ手段による問い合わせに応じて、前記商品登録装置から第２の決済情報を受信した場合に、前記第２の決済情報に基づいて決済を行う第２の決済手段として機能させるためのプログラム。
【手続補正書】
【提出日】令和2年12月8日(2020.12.8)
【手続補正１】
【補正対象書類名】明細書
【補正対象項目名】００２４
【補正方法】変更
【補正の内容】
【００２４】
患者には、例えば最大流量２Ｌ／分の９０％程度に濃縮され適度に加湿された酸素が、酸素濃縮装置１の酸素供給ノズル（ワンタッチ酸素出口）６から、図１に示す鼻カニューレ２０あるいは鼻カニューレ３０を経て、供給される。
【手続補正２】
【補正対象書類名】明細書
【補正対象項目名】００７６
【補正方法】変更
【補正の内容】
【００７６】
１：酸素濃縮装置、  ２：装置本体、  ３：操作パネル部、  ４：取っ手、  ５：キャスタユニット、  ６：酸素供給ノズル、  ７：酸素供給量表示部、  ８：設定ボタン、  ９：電源スイッチ、  １０：表示部、  １５：酸素ガス供給装置、  ２０：鼻カニューレ、  ２１：ソケット、  ２２：管、  ２３：鼻孔挿入用ノズル、  ３０：鼻カニューレ、  ３１：ソケット、  ３３：鼻孔挿入用ノズル、  ３５：第１管、  ３５Ａ：第１端部、  ３５Ｂ：第２端部、  ３６：第２管、  ３６Ａ：第１端部、  ３６Ｂ：第２端部、  ４０：医療用ガスカップリング、  ５０：本体、  ５１：第１部分、  ５１Ｄ：接続端面、  ５１Ｆ：フランジ部、  ５２：第２部分、  ５２Ｄ：接続端面、  ５２Ｆ：フランジ部、  ５３：中空部、  ５３Ｒ：内周面、  ５４：シール材、  ５５：締結部材、  ５６：第１接続端部、  ５６Ａ：外端部、  ５６Ｂ：内端部、  ５６Ｈ：中空穴、  ５６Ｋ：傾斜部分、  ５６Ｍ：係合部分、  ５７：第２接続端部、  ５７Ａ：外端部、  ５７Ｂ：内端部、  ５７Ｈ：中空穴、  ５７Ｋ：傾斜部分、  ５７Ｍ：係合部分、  ６０：弁体、  ６１、６２：曲面部分、  ６３、６４：平面部分、  ６５：第１突出部、  ６６：第２突出部、  ６７：第１シール部材、  ６８：第２シール部材、  ７１：第１スプリング、  ７１Ｓ：一端部、  ７２：第２スプリング、  ７２Ｓ：一端部、  １００：空気取入口、  １０１：フィルタ、  １０２：吸気フィルタ、  １０４：冷却用ファン、  １０５：コンプレッサ、  １０７：３方向切換弁、  １０８ａ、１０８ｂ：吸着筒、  １１１：製品タンク、  １１２：圧力調整器、  １１４：酸素濃度センサ、  １１５：流量調節器、  １１８：開放弁、  １２０：排気マフラ、  １２１：排気口、  １２３：モータ制御部、  １２３ａ：可変速度制御器、  １２４：制御部、  １２５：スイッチング電源部、  １２７：充電式バッテリ、  １３０：ＡＣ電源コネクタ、  １３２：ショックセンサ、  １３５：加速度センサ、  ２４０：医療用ガスカップリング、  ２５０：本体、  ２５１：第１部分、  ２５２：第２部分、  ２５３：中空部、  ２５６：第１接続端部、  ２５６Ｈ：中空穴、  ２５６Ｍ：係合部分、  ２５７：第２接続端部、  ２５７Ｈ：中空穴、  ２５７Ｍ：係合部分、  ２６０：弁体、  ２６５：突出部、  ２６６：凹部、  ２６７：第１シール部材、  ２７１：第１スプリング、  ２７１Ｓ：一端部、  ２７２：第２スプリング、  ３４０：医療用ガスカップリング、  ３５６：第１接続端部、  ３５７：第２接続端部、  ３７１：第１スプリング、  ４４０：医療用ガスカップリング、  ４５６：第１接続端部、  ４５７：第２接続端部、  ４７１：第１スプリング、  ＦＲ：火炎、  Ｔ：ガス導通路、  ＶＰ：減圧手段
【手続補正３】
【補正対象書類名】図面
【補正対象項目名】図２
【補正方法】変更
【補正の内容】
【図２】
2020162968.tif 000001
【手続補正書】
【提出日】令和2年12月7日(2020.12.7)
【手続補正１】
【補正対象書類名】特許請求の範囲
【補正対象項目名】全文
【補正方法】変更
【補正の内容】
【特許請求の範囲】
【請求項１】
２ｍｍスライスした大根漬物の端材を凍結、解凍、脱水後重曹溶液
でボイルし流水冷却後再度脱水し、乳糖溶液に投入し水気が無くな
るまで加熱し、米粉をまぶしフライし脱油して大根の薄切りフライ
を得る製造方法。
【請求項２】
請求項１で得られる大根の薄切りフライで、加工途中若しくは脱油
後に調味料等で味付けする製造方法。
【手続補正書】
【提出日】令和3年4月15日(2021.4.15)
【手続補正１】
【補正対象書類名】特許請求の範囲
【補正対象項目名】全文
【補正方法】変更
【補正の内容】
【特許請求の範囲】
【請求項１】
複数のPhysical  Downlink  Shared  Channel（ＰＤＳＣＨ）をスケジュールする１つ又は複数の下りリンク制御情報（Downlink  Control  Information（ＤＣＩ））を受信する受信部と、
前記１つ又は複数のＤＣＩに基づいて、同一セルにおける前記複数のＰＤＳＣＨの受信を制御する制御部と、を有する端末。
【請求項２】
前記受信部は、それぞれ異なるＰＤＳＣＨに対応する前記複数のＤＣＩを検出し、
前記制御部は、前記複数のＤＣＩに基づいて、同じ期間における前記複数のＰＤＳＣＨの受信を制御する請求項１に記載の端末。
【請求項３】
前記受信部は、それぞれ異なるＰＤＳＣＨに対応する複数の情報を示す前記１つのＤＣＩを検出し、
前記制御部は、前記１つのＤＣＩに基づいて、前記複数のＰＤＳＣＨの受信を制御する請求項１に記載の端末。
【請求項４】
前記複数のＤＣＩは、それぞれ異なるペイロードサイズを有する請求項１又は請求項２に記載の端末。
【請求項５】
前記制御部は、前記複数のＰＤＳＣＨに対するHybrid  Automatic  Repeat  reQuest-Acknowledgement（ＨＡＲＱ−ＡＣＫ）は、１つの上りリンク制御チャネル（Physical  Uplink  Control  Channel（ＰＵＣＣＨ））又は１つの上りリンク共有チャネル（Physical  Uplink  Shared  Channel（ＰＵＳＣＨ））を用いて送信する制御を行う請求項１から請求項４のいずれかに記載の端末。
【請求項６】
複数のPhysical  Downlink  Shared  Channel（ＰＤＳＣＨ）をスケジュールする１つ又は複数の下りリンク制御情報（Downlink  Control  Information（ＤＣＩ））を受信するステップと、
前記１つ又は複数のＤＣＩに基づいて、同一セルにおける前記複数のＰＤＳＣＨの受信を制御するステップと、を有する端末の無線通信方法。
【請求項７】
複数のPhysical  Downlink  Shared  Channel（ＰＤＳＣＨ）をスケジュールする１つ又は複数の下りリンク制御情報（Downlink  Control  Information（ＤＣＩ））を端末に送信する送信部と、
前記１つ又は複数のＤＣＩに基づいて前記端末によって受信される、同一セルにおける前記複数のＰＤＳＣＨのスケジュールを制御する制御部と、を有する基地局。
【請求項８】
端末及び基地局を含むシステムであって、
前記端末は、
複数のPhysical  Downlink  Shared  Channel（ＰＤＳＣＨ）をスケジュールする１つ又は複数の下りリンク制御情報（Downlink  Control  Information（ＤＣＩ））を受信する受信部と、
前記１つ又は複数のＤＣＩに基づいて、同一セルにおける前記複数のＰＤＳＣＨの受信を制御する制御部と、を有し、
前記基地局は、
前記１つ又は複数のＤＣＩを前記端末に送信する送信部と、
前記複数のＰＤＳＣＨのスケジュールを制御する制御部と、を有するシステム。
【手続補正２】
【補正対象書類名】明細書
【補正対象項目名】発明の名称
【補正方法】変更
【補正の内容】
【発明の名称】端末、無線通信方法、基地局及びシステム
【手続補正３】
【補正対象書類名】明細書
【補正対象項目名】０００１
【補正方法】変更
【補正の内容】
【０００１】
本発明は、次世代移動通信システムにおける端末、無線通信方法、基地局及びシステムに関する。
【手続補正４】
【補正対象書類名】明細書
【補正対象項目名】０００８
【補正方法】変更
【補正の内容】
【０００８】
本発明はかかる点に鑑みてなされたものであり、複数のサービスが適用される場合であっても、通信を適切に行うことができる端末、無線通信方法、基地局及びシステムを提供することを目的の１つとする。
【手続補正５】
【補正対象書類名】明細書
【補正対象項目名】０００９
【補正方法】変更
【補正の内容】
【０００９】
本開示の一態様に係る端末は、複数のPhysical  Downlink  Shared  Channel（ＰＤＳＣＨ）をスケジュールする１つ又は複数の下りリンク制御情報（Downlink  Control  Information（ＤＣＩ））を受信する受信部と、前記１つ又は複数のＤＣＩに基づいて、同一セルにおける前記複数のＰＤＳＣＨの受信を制御する制御部と、を有する。
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
遊技球が入球可能な始動口と、
識別情報を表示可能な識別情報表示部と、
画像を表示可能な表示手段と
を備え、
始動口への入球に基づき、乱数を取得する乱数取得手段と、
乱数取得手段により乱数が取得された場合、識別情報の変動表示開始条件を充足するまで当該取得された乱数を一時記憶して、保留が生起するよう制御する乱数一時記憶手段と、
或る保留に関する識別情報の変動表示開始条件を充足した場合において、当該或る保留に係る前記乱数に基づき当否判定を実行し、当該当否判定の結果に基づき識別情報表示部にて識別情報を変動表示させた後に識別情報を停止表示させるよう制御する識別情報表示制御手段と
を備え、
遊技者にとって有利な特別遊技状態を有しており、
特別遊技状態として、第１特別遊技状態と、第１特別遊技状態とは異なる第２特別遊技状態とを少なくとも有しており、
特別遊技状態の種類に関する履歴画像を表示手段にて表示可能であり、
履歴画像として、第１特別遊技状態に関する第１履歴画像と、第２特別遊技状態に関する第２履歴画像と、を少なくとも有しており、
装飾図柄の変動表示を表示手段にて表示可能であり、
所定の条件を満たした場合に、音量調整画像を表示手段に表示可能であり、
音量調整画像が表示手段に表示されている場合には、音量レベルの調整が可能であり、
音量調整画像と履歴画像とは同時に表示可能であり、
音量調整画像と履歴画像とが同時に表示される場合、音量調整画像の表示の方が履歴画像の表示よりも表示優先度が高くなり得るよう構成され、
音量調整画像と装飾図柄とが同時に表示される場合、音量調整画像の表示の方が装飾図柄の表示よりも表示優先度が高くなり得るよう構成されている
ことを特徴とする遊技機。
【手続補正２】
【補正対象書類名】明細書
【補正対象項目名】０００５
【補正方法】変更
【補正の内容】
【０００５】
本態様に係る遊技機は、
遊技球が入球可能な始動口と、
識別情報を表示可能な識別情報表示部と、
画像を表示可能な表示手段と
を備え、
始動口への入球に基づき、乱数を取得する乱数取得手段と、
乱数取得手段により乱数が取得された場合、識別情報の変動表示開始条件を充足するまで当該取得された乱数を一時記憶して、保留が生起するよう制御する乱数一時記憶手段と、
或る保留に関する識別情報の変動表示開始条件を充足した場合において、当該或る保留に係る前記乱数に基づき当否判定を実行し、当該当否判定の結果に基づき識別情報表示部にて識別情報を変動表示させた後に識別情報を停止表示させるよう制御する識別情報表示制御手段と
を備え、
遊技者にとって有利な特別遊技状態を有しており、
特別遊技状態として、第１特別遊技状態と、第１特別遊技状態とは異なる第２特別遊技状態とを少なくとも有しており、
特別遊技状態の種類に関する履歴画像を表示手段にて表示可能であり、
履歴画像として、第１特別遊技状態に関する第１履歴画像と、第２特別遊技状態に関する第２履歴画像と、を少なくとも有しており、
装飾図柄の変動表示を表示手段にて表示可能であり、
所定の条件を満たした場合に、音量調整画像を表示手段に表示可能であり、
音量調整画像が表示手段に表示されている場合には、音量レベルの調整が可能であり、
音量調整画像と履歴画像とは同時に表示可能であり、
音量調整画像と履歴画像とが同時に表示される場合、音量調整画像の表示の方が履歴画像の表示よりも表示優先度が高くなり得るよう構成され、
音量調整画像と装飾図柄とが同時に表示される場合、音量調整画像の表示の方が装飾図柄の表示よりも表示優先度が高くなり得るよう構成されている
ことを特徴とする遊技機である。
＜付記＞
尚、本態様とは異なる別態様について以下に列記しておくが、これらには何ら限定されることなく実施することが可能である。
本別態様に係る遊技機は、
遊技球が入球可能な始動口と、
識別情報を表示可能な識別情報表示部と、
画像を表示可能な表示手段と
を備え、
始動口への入球に基づき、乱数を取得する乱数取得手段と、
乱数取得手段により乱数が取得された場合、識別情報の変動表示開始条件を充足するまで当該取得された乱数を一時記憶して、保留が生起するよう制御する乱数一時記憶手段と、
或る保留に関する識別情報の変動表示開始条件を充足した場合において、当該或る保留に係る前記乱数に基づき当否判定を実行し、当該当否判定の結果に基づき識別情報表示部にて識別情報を変動表示させた後に識別情報を停止表示させるよう制御する識別情報表示制御手段と
を備え、
遊技者にとって有利な特別遊技状態を有しており、
特別遊技状態として、第１特別遊技状態と、第１特別遊技状態よりも有利な第２特別遊技状態とを少なくとも有しており、
特別遊技状態が発生したことに関する情報である履歴情報を、特別遊技状態が発生した順に記憶可能であり、
履歴情報は特別遊技状態の種類に関する情報を少なくとも含んでおり、
履歴情報に対応する画像である履歴画像を、表示手段にて特別遊技状態の発生した順に表示可能であり、
履歴画像として、第１特別遊技状態に関する履歴情報に対応する第１履歴画像と、第２特別遊技状態に関する履歴情報に対応する第２履歴画像と、を少なくとも有しており、
装飾図柄の変動表示と簡易図柄の変動表示とを表示手段にて表示可能であり、
履歴画像と簡易図柄の組合せとが同時に表示される場合、表示手段にて履歴画像が最大まで表示された場合でも、履歴画像の表示領域と簡易図柄の表示領域とは重複しないよう構成されている
ことを特徴とする遊技機である。
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
画像を表示可能な表示手段を備え、
遊技者にとって有利な特別遊技状態を有しており、
特別遊技状態として、第１特別遊技状態と、第１特別遊技状態よりも有利な第２特別遊技状態とを少なくとも有しており、
特別遊技状態の種類に関する履歴画像を表示手段にて表示可能であり、
履歴画像として、第１特別遊技状態に関する第１履歴画像と、第２特別遊技状態に関する第２履歴画像と、を少なくとも有しており、
第１特別遊技状態が発生した場合には、当該第１特別遊技状態の発生に基づいて第１履歴画像を表示し、第２特別遊技状態が発生した場合には、当該第２特別遊技状態の発生に基づいて第２履歴画像を表示するよう構成され、
特別遊技状態であり、表示手段にて履歴画像が表示されている状況で電源供給が遮断され、その後、電源復帰し、特別遊技状態である場合には、電源供給が遮断される前に表示手段に表示されていた履歴画像は表示されず、その後、特別遊技状態の終了以降にて履歴画像を表示し得るよう構成され、
所定のエラー状態となっており、前記所定のエラー状態に対応する所定のエラー画像が表示手段に表示されている状況において、履歴画像が表示手段に表示されている場合を有しており、
前記所定のエラー画像と履歴画像とが同時に表示される場合、前記所定のエラー画像の表示領域と履歴画像の表示領域とが重複し得るよう構成され、
前記所定のエラー画像と履歴画像とが同時に表示される場合、前記所定のエラー画像の方が履歴画像よりも表示優先度が高くなり得るよう構成され、
特別遊技状態であり、表示手段にて前記所定のエラー画像と履歴画像とが同時に表示されている状態で電源供給が遮断され、その後、電源復帰し、特別遊技状態である場合には、電源供給が遮断される前に表示手段に表示されていた履歴画像は表示されず、前記所定のエラー画像は表示され得るよう構成されている
ことを特徴とする遊技機。
【手続補正２】
【補正対象書類名】明細書
【補正対象項目名】０００５
【補正方法】変更
【補正の内容】
【０００５】
本態様に係る遊技機は、
画像を表示可能な表示手段を備え、
遊技者にとって有利な特別遊技状態を有しており、
特別遊技状態として、第１特別遊技状態と、第１特別遊技状態よりも有利な第２特別遊技状態とを少なくとも有しており、
特別遊技状態の種類に関する履歴画像を表示手段にて表示可能であり、
履歴画像として、第１特別遊技状態に関する第１履歴画像と、第２特別遊技状態に関する第２履歴画像と、を少なくとも有しており、
第１特別遊技状態が発生した場合には、当該第１特別遊技状態の発生に基づいて第１履歴画像を表示し、第２特別遊技状態が発生した場合には、当該第２特別遊技状態の発生に基づいて第２履歴画像を表示するよう構成され、
特別遊技状態であり、表示手段にて履歴画像が表示されている状態で電源供給が遮断され、その後、電源復帰し、特別遊技状態である場合には、電源供給が遮断される前に表示手段に表示されていた履歴画像は表示されず、その後、特別遊技状態の終了以降にて履歴画像を表示し得るよう構成され、
所定のエラー状態となっており、前記所定のエラー状態に対応する所定のエラー画像が表示手段に表示されている状況において、履歴画像が表示手段に表示されている場合を有しており、
前記所定のエラー画像と履歴画像とが同時に表示される場合、前記所定のエラー画像の表示領域と履歴画像の表示領域とが重複し得るよう構成され、
前記所定のエラー画像と履歴画像とが同時に表示される場合、前記所定のエラー画像の方が履歴画像よりも表示優先度が高くなり得るよう構成され、
特別遊技状態であり、表示手段にて前記所定のエラー画像と履歴画像とが同時に表示されている状態で電源供給が遮断され、その後、電源復帰し、特別遊技状態である場合には、電源供給が遮断される前に表示手段に表示されていた履歴画像は表示されず、前記所定のエラー画像は表示され得るよう構成されている
ことを特徴とする遊技機である。
＜付記＞
尚、本態様とは異なる別態様について以下に列記しておくが、これらには何ら限定されることなく実施することが可能である。
本別態様に係る遊技機は、
画像を表示可能な表示手段を備え、
遊技者にとって有利な特別遊技状態を有しており、
特別遊技状態として、第１特別遊技状態と、第１特別遊技状態よりも有利な第２特別遊技状態とを少なくとも有しており、
特別遊技状態が発生したことに関する情報である履歴情報を、特別遊技状態が発生した順に記憶可能であり、
履歴情報は特別遊技状態の種類に関する情報を少なくとも含んでおり、
履歴情報に対応する画像である履歴画像を、表示手段にて特別遊技状態の発生した順に表示可能であり、
履歴画像として、第１特別遊技状態に関する履歴情報に対応する第１履歴画像と、第２特別遊技状態に関する履歴情報に対応する第２履歴画像と、を少なくとも有する
ことを特徴とする遊技機である。
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
画像を表示可能な表示手段を備え、
遊技者にとって有利な特別遊技状態を有しており、
特別遊技状態として、第１特別遊技状態と、第１特別遊技状態よりも有利な第２特別遊技状態とを少なくとも有しており、
特別遊技状態の種類に関する履歴画像を表示手段にて表示可能であり、
履歴画像として、第１特別遊技状態に関する第１履歴画像と、第２特別遊技状態に関する第２履歴画像と、を少なくとも有しており、
第１特別遊技状態が発生した場合には、当該第１特別遊技状態の発生に基づいて第１履歴画像を表示し、第２特別遊技状態が発生した場合には、当該第２特別遊技状態の発生に基づいて第２履歴画像を表示するよう構成され、
特別遊技状態であり、表示手段にて履歴画像が表示されている状況で電源供給が遮断され、その後、電源復帰し、特別遊技状態である場合には、電源供給が遮断される前に表示手段に表示されていた履歴画像は表示されず、その後、特別遊技状態の終了以降にて履歴画像を表示し得るよう構成され、
特別遊技状態であり、表示手段にて履歴画像が表示されている状況で特定のエラー状態となり、前記特定のエラー状態に対応する特定のエラー画像が表示手段に表示され、その後、特別遊技状態であり、前記特定のエラー状態が解除された後の特定のタイミングでは、前記特定のエラー画像は表示されず、履歴画像は表示され得るよう構成されており、
特別遊技状態であり、表示手段にて履歴画像が表示されている状況で所定のエラー状態となり、前記所定のエラー状態に対応する所定のエラー画像が表示手段に表示され、その後、特別遊技状態であり、前記所定のエラー状態が解除された後の所定のタイミングでは、前記所定のエラー画像は表示されず、履歴画像は表示されないよう構成されている
ことを特徴とする遊技機。
【手続補正２】
【補正対象書類名】明細書
【補正対象項目名】０００５
【補正方法】変更
【補正の内容】
【０００５】
本態様に係る遊技機は、
画像を表示可能な表示手段を備え、
遊技者にとって有利な特別遊技状態を有しており、
特別遊技状態として、第１特別遊技状態と、第１特別遊技状態よりも有利な第２特別遊技状態とを少なくとも有しており、
特別遊技状態の種類に関する履歴画像を表示手段にて表示可能であり、
履歴画像として、第１特別遊技状態に関する第１履歴画像と、第２特別遊技状態に関する第２履歴画像と、を少なくとも有しており、
第１特別遊技状態が発生した場合には、当該第１特別遊技状態の発生に基づいて第１履歴画像を表示し、第２特別遊技状態が発生した場合には、当該第２特別遊技状態の発生に基づいて第２履歴画像を表示するよう構成され、
特別遊技状態であり、表示手段にて履歴画像が表示されている状況で電源供給が遮断され、その後、電源復帰し、特別遊技状態である場合には、電源供給が遮断される前に表示手段に表示されていた履歴画像は表示されず、その後、特別遊技状態の終了以降にて履歴画像を表示し得るよう構成され、
特別遊技状態であり、表示手段にて履歴画像が表示されている状況で特定のエラー状態となり、前記特定のエラー状態に対応する特定のエラー画像が表示手段に表示され、その後、特別遊技状態であり、前記特定のエラー状態が解除された後の特定のタイミングでは、前記特定のエラー画像は表示されず、履歴画像は表示され得るよう構成されており、
特別遊技状態であり、表示手段にて履歴画像が表示されている状況で所定のエラー状態となり、前記所定のエラー状態に対応する所定のエラー画像が表示手段に表示され、その後、特別遊技状態であり、前記所定のエラー状態が解除された後の所定のタイミングでは、前記所定のエラー画像は表示されず、履歴画像は表示されないよう構成されている
ことを特徴とする遊技機である。
＜付記＞
尚、本態様とは異なる別態様について以下に列記しておくが、これらには何ら限定されることなく実施することが可能である。
本別態様に係る遊技機は、
画像を表示可能な表示手段を備え、
遊技者にとって有利な特別遊技状態を有しており、
特別遊技状態として、第１特別遊技状態と、第１特別遊技状態よりも有利な第２特別遊技状態とを少なくとも有しており、
特別遊技状態が発生したことに関する情報である履歴情報を、特別遊技状態が発生した順に記憶可能であり、
履歴情報は特別遊技状態の種類に関する情報を少なくとも含んでおり、
履歴情報に対応する画像である履歴画像を、表示手段にて特別遊技状態の発生した順に表示可能であり、
履歴画像として、第１特別遊技状態に関する履歴情報に対応する第１履歴画像と、第２特別遊技状態に関する履歴情報に対応する第２履歴画像と、を少なくとも有しており、
所定の画像を表示手段にて表示可能であり、
履歴画像と所定の画像とが同時に表示される場合、履歴画像の表示領域と所定の画像の表示領域とは重複しないよう構成されている
ことを特徴とする遊技機である。
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
ネットワークを構成するノード装置についてのノード情報と、前記ネットワークのノード装置に接続するリンクについてのリンク情報と、前記ネットワークにおけるパケットの転送経路についての経路情報と、前記ネットワークのリンクのトラフィックについてのトラフィック情報と、前記ネットワークに接続するサーバ装置についてのサーバ情報と、を含むネットワーク情報を保持する保持手段と、
ユーザの端末装置の設置予定場所を示す設置予定場所情報と、前記ネットワークに接続するサーバ装置の内の当該ユーザがアクセスするアクセスサーバ装置を示すアクセスサーバ情報と、を取得する第１取得手段と、
前記ネットワーク情報と、前記設置予定場所情報と、前記アクセスサーバ情報と、前記トラフィック情報と、に基づき、模擬対象ネットワーク及び模擬動作条件を判定する判定手段と、
を備え、
前記模擬対象ネットワークは、前記ネットワークの前記ノード装置及び前記リンクのうち、前記設置予定場所に設置された前記端末装置と前記アクセスサーバ装置との間においてパケットが経由する模擬対象ノード装置及び模擬対象リンクで構成され、
前記模擬動作条件は、前記模擬対象ネットワークの前記模擬対象リンクに前記トラフィック情報に基づき判定されるトラフィックが流れている状態を模擬するとの条件であることを特徴とする構成装置。
【請求項２】
試験端末装置と、試験サーバ装置と、前記試験端末装置及び前記試験サーバ装置に接続される試験ネットワークと、を有するシステムを制御する制御手段をさらに備えており、
前記判定手段は、前記ネットワーク情報に基づき、前記模擬対象ノード装置の内の前記設置予定場所に設置された前記端末装置に接続される第１模擬対象ノード装置と、前記アクセスサーバ装置に接続される第２模擬対象ノード装置と、を判定し、
前記制御手段は、ネットワーク仮想化技術により、前記試験端末装置が前記第１模擬対象ノード装置に接続され、前記試験サーバ装置が前記第２模擬対象ノード装置に接続され、前記模擬対象リンクに前記模擬動作条件が示すトラフィックが流れている前記模擬対象ネットワークの状態を模擬する様に、前記試験ネットワークを動作させることを特徴とする請求項１に記載の構成装置。
【請求項３】
前記システムは、複数の前記試験端末装置を有し、
前記第１取得手段は、前記端末装置を特定する情報をさらに取得し、
前記制御手段は、複数の前記試験端末装置から前記端末装置の処理能力に最も近い処理能力を有する前記試験端末装置を選択し、選択した前記試験端末装置が前記第１模擬対象ノード装置に接続された状態を模擬する様に、前記試験ネットワークを動作させることを特徴とする請求項２に記載の構成装置。
【請求項４】
前記制御手段は、前記試験サーバ装置を、前記アクセスサーバ装置として動作させることを特徴とする請求項２又は３に記載の構成装置。
【請求項５】
前記ネットワークから前記トラフィック情報を取得する第２取得手段をさらに備えており、
前記制御手段は、前記第２取得手段が前記ネットワークから取得する前記トラフィック情報に基づき前記模擬動作条件を更新することを特徴とする請求項２から４のいずれか１項に記載の構成装置。
【請求項６】
前記第１取得手段は、前記ユーザが前記ネットワークを利用するための契約内容を示す契約情報をさらに取得し、
前記制御手段は、前記契約情報に従い前記試験ネットワークを動作させることを特徴とする請求項２から５のいずれか１項に記載の構成装置。
【請求項７】
前記トラフィック情報は、時間帯及び／又は曜日別のトラフィックを示し、
前記第１取得手段は、時間帯及び／又は曜日を示す情報をさらに取得し、
前記模擬動作条件は、前記模擬対象ネットワークの前記模擬対象リンクに、前記トラフィック情報が示す、前記第１取得手段が取得した時間帯及び／又は曜日のトラフィックが流れている状態を模擬するとの条件であることを特徴とする請求項１から６のいずれか１項に記載の構成装置。
【請求項８】
前記第１取得手段は、模擬対象日を示す情報をさらに取得し、
前記判定手段は、前記模擬対象日における前記模擬対象リンクのトラフィックを前記模擬対象リンクのトラフィック情報に基づき推定し、
前記模擬動作条件は、前記模擬対象ネットワークの前記模擬対象リンクに前記判定手段が推定したトラフィックが流れている状態を模擬するとの条件であることを特徴とする請求項１から６のいずれか１項に記載の構成装置。
【請求項９】
請求項１から８のいずれか１項に記載の構成装置としてコンピュータを機能させることを特徴とするプログラム。
【手続補正書】
【提出日】令和3年6月4日(2021.6.4)
【手続補正１】
【補正対象書類名】明細書
【補正対象項目名】００２４
【補正方法】変更
【補正の内容】
【００２４】
【図１】本発明の実施例１に係る半導体装置の駆動方式を説明するための図である。
【図２】比較例である半導体装置の駆動方式を示す図である。
【図３】ターンオンディレイｔｄ＿ｏｎをパラメータとし、ターンオンスイッチング損失とターンオンｄｖＣＥ／ｄｔの相関を示す図である。
【図４】ターンオフディレイｔｄ＿ｏｆｆをパラメータとし、ターンオフスイッチング損失とターンオフｄｖＣＥ／ｄｔの相関を示す図である。
【図５】ターンオンスイッチング時のｔｄ＿ｏｎに対する、デュアルゲートＩＧＢＴ内部のキャリア充填時間の関係を示す図である。
【図６】デュアルゲートＩＧＢＴの駆動能力を示す順方向ＶＣＥ−ＩＣ特性を示す図である。
【図７】ターンオフスイッチング時のｔｄ＿ｏｆｆに対する、デュアルゲートＩＧＢＴ内部のキャリア排出時間の関係を示す図である。
【図８】本発明の実施例２に係るデュアルゲートＩＧＢＴの順方向特性を示す図である。
【図９】ｔｄ＿ｏｎ、ｔｄ＿ｏｆｆを可変に制御できる二つの信号を生成する駆動回路、並びにデュアルゲートＩＧＢＴから成る本発明の第２の実施例の構成図である。
【図１０】デュアルゲートＩＧＢＴの温度と電流の情報を取得するタイミングと最適なｔｄ＿ｏｎとｔｄ＿ｏｆｆを導出する手法、並びにＦＰＧＡに書き込むＬｏｏｋ−ｕｐ  Ｔａｂｌｅを示す図である。
【図１１】本発明の実施例３に係る半導体装置の駆動方式を示す図である。
【図１２】本発明の実施例４に係る半導体装置の状態センス方式、並びに、構成図を示す図である。
【図１３】実施例４における、デュアルゲートＩＧＢＴの温度と電流の情報を取得するタイミングと最適なｔｄ＿ｏｎとｔｄ＿ｏｆｆを導出する手法、ならびにＦＰＧＡに書き込むＬｏｏｋ−ｕｐ  Ｔａｂｌｅを示す図である。
【図１４】本発明の実施例５に係る半導体装置の状態センス方式、並びに、構成図を示す図である。
【図１５】実施例５に係るデュアルゲートＩＧＢＴの駆動能力を示す順方向ＶＣＥ−ＩＣ特性を示す図である。
【図１６】本発明の実施例６に係る電力変換装置の構成の一例を示す図である。
【図１７】インバータを構成する電力変換装置の回路構成の一例を示す図である。
【図１８】ダブルゲート型ＩＧＢＴのシンボル図である。
【図１９】ダブルゲート型ＩＧＢＴのキャリア濃度プロファイルを示す図である。
【図２０】デュアルゲートＩＧＢＴの導通時、非導通時における、二つのゲート信号と電圧波形、電流波形、それによる電流・電圧積の時間推移を示す図である。
【手続補正２】
【補正対象書類名】図面
【補正対象項目名】図８
【補正方法】変更
【補正の内容】
【図８】
2020162022.tif 000001
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
移動体の周辺領域を撮像した画像を取得する入力インターフェイスと、
前記画像を処理する少なくとも１つのプロセッサと
を備え、
前記少なくとも１つのプロセッサは、前記画像から前記移動体が移動する道路を検出する第１の処理と、前記画像における前記道路の色に基づいて前記画像全体の色を調整するための調整パラメータを算出する第２の処理とを実行する調整用パラメータ算出部を有する、画像処理装置。
【請求項２】
前記調整用パラメータ算出部は、前記道路に対して照射される光の光源に関する情報に基づき、前記画像における前記道路の色が所定の色となるような調整パラメータを算出する、請求項１に記載の画像処理装置。
【請求項３】
前記調整用パラメータ算出部は、前記道路に対して照射される光の光源に関する情報として、天候の情報を取得し、
前記第２の処理は、光源に関する情報に応じた調整パラメータを算出する、請求項２に記載の画像処理装置。
【請求項４】
前記調整用パラメータ算出部は、前記道路に対して照射される光の光源に関する情報として、時刻の情報を取得し、
前記調整用パラメータ算出部は、前記時刻が夜である場合に、前記第２の処理において、前記画像において前記道路が赤味がかった色となるような調整パラメータを算出する請求項２に記載の画像処理装置。
【請求項５】
前記調整用パラメータ算出部は、前記道路に対して照射される光の光源に関する情報として、前記移動体が移動中の場所を取得し、
前記第２の処理は、光源に関する情報に応じた調整パラメータを算出する、請求項２に記載の画像処理装置。
【請求項６】
前記調整用パラメータ算出部は、ナビゲーション装置から前記移動体がトンネル内を走行していることを示す情報を取得した場合に、前記第２の処理において、前記画像において前記道路がオレンジの色味がかかった色となるような調整パラメータを算出する請求項５に記載の画像処理装置。
【請求項７】
前記プロセッサは、前記画像を認識用画像及び表示用画像としてフレームバッファに格納し、
前記入力インターフェイスは、前記画像として第１の画像及び第２の画像を順次取得し、
前記プロセッサは、更に、前記第１の画像についての前記第２の処理によって算出した前記調整パラメータを用いて、前記第２の画像についての前記認識用画像を調整して前記第１の処理を実行し、前記第２の画像についての前記認識用画像を当該調整パラメータを用いて調整する、請求項１乃至請求項６の何れか一項に記載の画像処理装置。
【請求項８】
前記第２の処理は、前記画像のホワイトバランスを調整する前記調整パラメータを算出する、請求項１乃至請求項７の何れか一項に記載の画像処理装置。
【請求項９】
移動体に搭載される撮像装置であって、
光学系と、
前記光学系により結像される周辺領域の画像を撮像するように構成される少なくとも１つのプロセッサと
を備え、
前記少なくとも１つのプロセッサは、前記画像から前記移動体が移動する道路を検出する第１の処理と、前記画像における前記道路の色に基づいて前記画像全体の色を調整するための調整パラメータを算出する第２の処理とを実行する調整用パラメータ算出部を有する、撮像装置。
【請求項１０】
光学系と、前記光学系により結像される周辺領域の画像を撮像するように構成される少なくとも１つのプロセッサとを備え、
前記少なくとも１つのプロセッサは、前記画像から前記移動体が移動する道路を検出する第１の処理と、前記画像における前記道路の色に基づいて前記画像全体の色を調整するための調整パラメータを算出する第２の処理とを実行する調整用パラメータ算出部を有する撮像装置を備える移動体。
【請求項１１】
移動体の周辺領域を撮像した画像を取得するステップと、
前記画像から前記移動体が移動する道路を検出する第１の処理を実行するステップと
前記画像における前記道路の色に基づいて前記画像全体の色を調整するための調整パラメータを算出する第２の処理を実行するステップと、
前記調整パラメータに基づいて前記画像を調整して表示用の画像を生成する、画像処理方法。
【手続補正２】
【補正対象書類名】明細書
【補正対象項目名】０００７
【補正方法】変更
【補正の内容】
【０００７】
上記目的を達成する画像処理装置は、入力インターフェイスと、少なくとも１つのプロセッサとを備える。前記入力インターフェイスは、移動体の周辺領域を撮像した画像を取得する。前記少なくとも１つのプロセッサは、前記画像を処理する。前記少なくとも１つのプロセッサは、前記画像から前記移動体が移動する道路を検出する第１の処理と、前記画像における前記道路の色に基づいて前記画像全体の色を調整するための調整パラメータを算出する第２の処理とを実行する調整用パラメータ算出部を有する。
【手続補正３】
【補正対象書類名】明細書
【補正対象項目名】０００８
【補正方法】変更
【補正の内容】
【０００８】
上記目的を達成する撮像装置は、移動体に搭載される撮像装置であって、光学系と、少なくとも１つのプロセッサとを備える。前記少なくとも１つのプロセッサは、前記光学系により結像される周辺領域の画像を撮像するように構成される。前記少なくとも１つのプロセッサは、前記画像から前記移動体が移動する道路を検出する第１の処理と、前記画像における前記道路の色に基づいて前記画像全体の色を調整するための調整パラメータを算出する第２の処理とを実行する。
【手続補正４】
【補正対象書類名】明細書
【補正対象項目名】０００９
【補正方法】変更
【補正の内容】
【０００９】
上記目的を達成する移動体は、撮像装置を備える。前記撮像装置は、光学系、及び、少なくとも１つのプロセッサを含む。前記少なくとも１つのプロセッサは、前記光学系により結像される周辺領域の画像を撮像するように構成される。前記少なくとも１つのプロセッサは、前記画像から前記移動体が移動する道路を検出する第１の処理と、前記画像における前記道路の色に基づいて前記画像全体の色を調整するための調整パラメータを算出する第２の処理とを実行する。
【手続補正５】
【補正対象書類名】明細書
【補正対象項目名】００１０
【補正方法】変更
【補正の内容】
【００１０】
上記目的を達成する画像処理方法は、移動体の周辺領域を撮像した画像を取得し、前記画像から前記移動体が移動する道路を検出する第１の処理を実行することを含む。前記画像処理方法は、前記画像における前記道路の色に基づいて前記画像全体の色を調整するための調整パラメータを算出する第２の処理を実行することを含む。前記画像処理方法は、前記調整パラメータに基づいて前記画像を調整して表示用の画像を生成することを更に含む。
【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
有効成分として０．００１〜０．１％（ｗ／ｖ）の濃度のアトロピンまたはその塩のみを含有し、添加剤としてセルロース誘導体およびカルボキシビニルポリマーからなる群より選択される少なくとも１種の水溶性高分子、および第一の緩衝剤を含有し、ｐＨが６以下の範囲である水性点眼液であって、前記第一の緩衝剤が、リン酸緩衝剤およびイプシロン−アミノカプロン酸からなる群より選択される少なくとも１種である水性点眼液。
【請求項２】
第一の緩衝剤がリン酸緩衝剤である、請求項１に記載の水性点眼液。
【請求項３】
リン酸緩衝剤が、リン酸水素ナトリウム水和物、リン酸二水素ナトリウム、リン酸二水素ナトリウム一水和物、リン酸二水素ナトリウム二水和物、リン酸二水素カリウム、リン酸水素ナトリウム七水和物、リン酸三ナトリウム、およびリン酸二カリウムからなる群より選択される少なくとも１種に由来する、
請求項１または２に記載の水性点眼液。
【請求項４】
更に、第二の緩衝剤としてクエン酸緩衝剤を含有する、請求項１から３のいずれか１に記載の水性点眼液。
【請求項５】
クエン酸緩衝剤が、クエン酸水和物、クエン酸ナトリウム、クエン酸ナトリウム水和物、クエン酸カリウム、クエン酸カルシウム、クエン酸二水素ナトリウム、およびクエン酸二ナトリウムからなる群より選択される少なくとも１種に由来する、請求項４に記載の水性点眼液。
【請求項６】
水溶性高分子が、セルロース誘導体である、請求項１から５のいずれか１に記載の水性点眼液。
【請求項７】
セルロース誘導体が、ヒドロキシエチルセルロース、ヒドロキシプロピルメチルセルロース、メチルセルロース、エチルセルロース、ヒドロキシメチルセルロース、ヒドロキシプロピルセルロース、ヒドロキシエチルメチルセルロース、カルボキシメチルセルロース、カルボキシメチルセルロースナトリウム、ヒプロメロース酢酸エステルコハク酸エステル、ヒプロメロースフタル酸エステル、カルボキシメチルエチルセルロース、および酢酸フタル酸セルロースからなる群より選択される少なくとも１種である、請求項６に記載の水性点眼液。
【請求項８】
セルロース誘導体が、ヒドロキシエチルセルロースおよびヒドロキシプロピルメチルセルロースからなる群より選択される少なくとも１種である、請求項６または７に記載の水性点眼液。
【請求項９】
セルロース誘導体がヒドロキシエチルセルロースである、請求項６から８のいずれか１に記載の水性点眼液。
【請求項１０】
５０ｐｐｍ未満の濃度の塩化ベンザルコニウムを含有する、請求項１から９のいずれか１に記載の水性点眼液。
【請求項１１】
塩化ベンザルコニウムを実質的に含有しない、請求項１から１０のいずれか１に記載の水性点眼液。
【請求項１２】
更に、非イオン性等張化剤を含有する、請求項１から１１のいずれか１に記載の水性点眼液。
【請求項１３】
非イオン性等張化剤が、グリセリン、マンニトール、プロピレングリコール、ポリエチレングリコール、グルコース、ソルビトール、キシリトールおよびトレハロースからなる群より選択される少なくとも１種である、請求項１２に記載の水性点眼液。
【請求項１４】
非イオン性等張化剤が、グリセリンおよびマンニトールからなる群より選択される少なくとも１種である、請求項１２または１３に記載の水性点眼液。
【請求項１５】
非イオン性等張化剤がグリセリンである、請求項１２から１４のいずれか１に記載の水性点眼液。
【請求項１６】
緩衝剤の濃度が０．００１〜１０％（ｗ／ｖ）である、請求項１から１５のいずれか１に記載の水性点眼液。
【請求項１７】
クエン酸緩衝剤の濃度が０．００１〜１．０％（ｗ／ｖ）である、請求項４〜１６のいずれか１に記載の水性点眼液。
【請求項１８】
クエン酸緩衝剤の濃度が０．０１〜０．０５％（ｗ／ｖ）である、請求項１７に記載の水性点眼液。
【請求項１９】
水溶性高分子の濃度が０．０１〜５％（ｗ／ｖ）である、請求項１から１８のいずれか１に記載の水性点眼液。
【請求項２０】
非イオン性等張化剤の濃度が０．０１〜１０％（ｗ／ｖ）である、請求項１２から１９のいずれか１に記載の水性点眼液。
【請求項２１】
ｐＨが５以下の範囲である、請求項１〜２０のいずれか１に記載の水性点眼液。
【請求項２２】
ｐＨが４〜６の範囲である、請求項１〜２０のいずれか１に記載の水性点眼液。
【請求項２３】
リン酸緩衝剤の濃度が０．０１〜１．０％（ｗ／ｖ）である、請求項１から２２のいずれか１に記載の水性点眼液。
【請求項２４】
アトロピンまたはその塩の濃度が０．００１〜０．０２５％（ｗ／ｖ）である、請求項１から２３のいずれか１に記載の水性点眼液。
【請求項２５】
アトロピンまたはその塩の濃度が０．００１〜０．０１％（ｗ／ｖ）である、請求項１から２４のいずれか１に記載の水性点眼液。
【請求項２６】
アトロピンまたはその塩が、硫酸アトロピンまたはその水和物である、請求項１から２５のいずれか１に記載の水性点眼液。
【請求項２７】
ユニットドーズ型容器に収容されている、請求項１から２６のいずれか１に記載の水性点眼液。
【請求項２８】
水性点眼液が点眼剤である、請求項１から２７のいずれか１に記載の水性点眼液。
【請求項２９】
近視の進行を抑制および／または予防するための、請求項１から２８のいずれか１に記載の水性点眼液。
【請求項３０】
近視の進行を抑制および／または予防するための薬物の製造における、請求項１から２８のいずれか１に記載の水性点眼液の使用。
【請求項３１】
近視の進行を抑制および／または予防するのに使用するための、請求項１から２８のいずれか１に記載の水性点眼液。